(57)【要約】【課題】レンズ鏡胴と同様の略円筒形状の輪郭を持ち凸部が存在しない光学オプション取付リングを提供する。【解決手段】レンズ鏡胴が挿入されるリング本体と、前記リング本体の外周面に回転可能に装着される締付リングと、前記リング本体と前記締め付けリングとの間に配置される弾性部材と、前記締付リングに設けられ、前記締付リングの回転位置に応じて前記弾性部材に当接し該弾性部材を弾性変形させることにより該弾性部材の少なくとも一部を前記リング本体内周面よりも内側に突出させ前記レンズ鏡胴に形成された溝内に位置させる当接部と、を備える。【選択図】  図３
2007298671.tif 000002
【特許請求の範囲】
【請求項１】
レンズ鏡胴が挿入されるリング本体と、
前記リング本体の外周面に回転可能に装着される締付リングと、
前記リング本体と前記締め付けリングとの間に配置される弾性部材と、
前記締付リングに設けられ、前記締付リングの回転位置に応じて前記弾性部材に当接し該弾性部材を弾性変形させることにより該弾性部材の少なくとも一部を前記リング本体内周面よりも内側に突出させ前記レンズ鏡胴に形成された溝内に位置させる当接部と、
を備えることを特徴とする光学オプション取付リング。
【請求項２】
前記リング本体にはその外周面と内周面とを連通する開口が形成されており、
前記弾性部材は、前記リング本体に固定される固定端と、前記締付リング内周面と前記リング本体外周面との間を径方向に移動可能な自由端と、前記固定端と前記自由端との間に形成され前記開口内に位置する湾曲部と、を備える板バネであり、
前記締付リングは、その内周面に相対的に厚みが薄い部分と厚い部分とを備えており、
前記締付リングが回転させられて前記厚みが厚い部分が前記弾性部材の自由端側に当接し該弾性部材を弾性変形させることにより前記開口から前記湾曲部を前記リング本体内周面よりも内側に突出させ前記レンズ鏡胴に形成された溝内に位置させることを特徴とする請求項１に記載の光学オプション取付リング。
【請求項３】
前記締付リングが回転させられて前記厚みが厚い部分が前記弾性部材の自由端側に当接し該弾性部材を弾性変形させることにより前記開口から前記湾曲部を前記リング本体内周面よりも内側に突出させ前記レンズ鏡胴に形成された溝底面に圧接させることを特徴とする請求項２に記載の光学オプション取付リング。
【請求項４】
前記締付リング内周面に設けられ前記開口内に突出する回転規制凸部をさらに備えることを特徴とする請求項１から３のいずれかに記載の光学オプション取付リング。
【発明の詳細な説明】
【技術分野】
【０００１】
本発明は、光学オプション取付リングに係り、特にレンズ鏡胴と同様の略円筒形状の輪郭を持ち凸部が存在しない光学オプション取付リングに関する。
【背景技術】
【０００２】
従来、レンズ鏡胴にワイドコンバーターやテレコンバーター等を装着するための光学オプション取付リングが知られている（例えば特許文献１参照）。
【０００３】
この特許文献１に記載の光学オプション取付リングについて図面を参照しながら説明する。図７に示すように、この光学オプション取付リング１０´は、所定間隔をおいて配置される一端部２１´及び他端部２２´と、一端部２１´と他端部２２´とを連結するとともにレンズ鏡胴（図示せず）が挿入されるリング本体２０´と、一端部２１´と他端部２２´とを連通するネジ穴２１ａ´、２２ａ´に挿入される固定用ネジ２３´とを有し、固定用ネジ２３´を締め付けると一端部２１´と他端部２２´とが接近しリング本体２０´の径が減少してレンズ鏡胴に固定され、固定用ネジ２３´を緩めると一端部２１´と他端部２２´とが離れリング本体２０´の径が増加してその固定が解除されるように構成されている。
【０００４】
図７に示すように、この光学オプション取付リング１０´の一端部２１´と他端部２２´は傾斜しており、固定用ネジ２３´を締め付けると他端部２２´の一部２２ｂ´が一端部２１´の傾斜面に沿って移動しリング本体２０´内周面２０ａ´よりも内側に突出しレンズ鏡胴に形成された溝（図示せず）内に位置する（係合する）ようになっている。これにより、かりに固定用ネジ２３´が緩んだ場合であっても、光学オプション取付リング１０´がレンズ鏡胴から抜け落ちないようになっている。
【特許文献１】特開２００４−２７１８９２号公報
【発明の開示】
【発明が解決しようとする課題】
【０００５】
しかしながら、特許文献１に記載の光学オプション取付リング１０´においては、一端部２１´や他端部２２´等が円筒形状の輪郭からはみ出しており、このはみ出した一端部２１´等が周囲に引っ掛かったり、ぶつかったりする恐れがあるという問題がある。
【０００６】
本発明は、このような事情に鑑みてなされたものであり、レンズ鏡胴と同様の略円筒形状の輪郭を持ち凸部が存在しない光学オプション取付リングの提供を目的とする。
【課題を解決するための手段】
【０００７】
本発明は上記課題を解決するためになされたものであり、請求項１に記載の発明は、レンズ鏡胴が挿入されるリング本体と、前記リング本体の外周面に回転可能に装着される締付リングと、前記リング本体と前記締め付けリングとの間に配置される弾性部材と、前記締付リングに設けられ、前記締付リングの回転位置に応じて前記弾性部材に当接し該弾性部材を弾性変形させることにより該弾性部材の少なくとも一部を前記リング本体内周面よりも内側に突出させ前記レンズ鏡胴に形成された溝内に位置させる当接部と、を備えることを特徴とする。
【０００８】
請求項１に記載の発明によれば、締付リングを回転させるとその締付リングの回転位置に応じて弾性部材の少なくとも一部（例えば板バネの湾曲部）がリング本体内周面よりも内側に突出し、レンズ鏡胴に形成された溝内に位置する。すなわち、弾性部材の少なくとも一部が溝に係合した状態となる。従来のように、溝に係合させるために円筒形状の輪郭からはみ出す部分（一端部や他端部等）は不要である。したがって、レンズ鏡胴と同様の略円筒形状の輪郭を持ち凸部が存在しない光学オプション取付リングを提供することが可能となる。
【０００９】
しかも、従来は、固定用ネジが小径であり締め付けにくかったが、請求項１に記載の発明によれば、締付リングが比較的大径であるから比較的容易に締めつけることが可能である。
【００１０】
請求項２に記載の発明は、請求項１に記載の発明において、前記リング本体にはその外周面と内周面とを連通する開口が形成されており、前記弾性部材は、前記リング本体に固定される固定端と、前記締付リング内周面と前記リング本体外周面との間を径方向に移動可能な自由端と、前記固定端と前記自由端との間に形成され前記開口内に位置する湾曲部と、を備える板バネであり、前記締付リングは、その内周面に相対的に厚みが薄い部分と厚い部分とを備えており、前記締付リングが回転させられて前記厚みが厚い部分が前記弾性部材の自由端側に当接し該弾性部材を弾性変形させることにより前記開口から前記湾曲部を前記リング本体内周面よりも内側に突出させ前記レンズ鏡胴に形成された溝内に位置させることを特徴とする。
【００１１】
請求項２に記載の発明によれば、締付リングを回転させるとその締付リングの回転位置に応じて開口から板バネの湾曲部がリング本体内周面よりも内側に突出し、レンズ鏡胴に形成された溝内に位置する。すなわち、板バネの湾曲部が溝に係合した状態となる。従来のように、溝に係合するために円筒形状の輪郭からはみ出す部分（一端部や他端部等）は不要である。したがって、レンズ鏡胴と同様の略円筒形状の輪郭を持ち凸部が存在しない光学オプション取付リングを提供することが可能となる。
【００１２】
しかも、従来は、固定用ネジが小径であり締め付けにくかったが、請求項２に記載の発明によれば、締付リングが比較的大径であるから比較的容易に締めつけることが可能である。
【００１３】
請求項３に記載の発明は、請求項１又は２に記載の発明において、前記締付リングが回転させられて前記厚みが厚い部分が前記弾性部材の自由端側に当接し該弾性部材を弾性変形させることにより前記開口から前記湾曲部を前記リング本体内周面よりも内側に突出させ前記レンズ鏡胴に形成された溝底面に圧接させることを特徴とする。
【００１４】
請求項３に記載の発明によれば、締付リングをわずかに回転させるだけで光学オプション取付リングをレンズ鏡胴に固定することが可能となる（従来は、固定用ネジを何回転も回さなければしっかりと固定できなかった）。
【００１５】
請求項４に記載の発明は、請求項１から３のいずれかに記載の発明において、前記締付リング内周面に設けられ前記開口内に突出する回転規制凸部をさらに備えることを特徴とする。
【００１６】
請求項４に記載の発明によれば、回転規制凸部の作用により締付リングがそれ以上回転しなくなることで、利用者は光学オプション取付リングがレンズ鏡胴にしっかりと装着されたこと（あるいは光学オプション取付リングをレンズ鏡胴から取り外すことが可能となったこと）を把握可能となる。
【発明の効果】
【００１７】
本発明によれば、レンズ鏡胴と同様の略円筒形状の輪郭を持ち凸部が存在しない光学オプション取付リングの提供が可能となる。
【発明を実施するための最良の形態】
【００１８】
以下添付図面に従って本発明に係る光学オプション取付リングの好ましい実施の形態について説明する。
【００１９】
図１及び図２は、本発明に係る光学オプション取付リングの構成を説明するための図である。
【００２０】
図１及び図２に示すように、光学オプション取付リング１０は、ワイドコンバーターやテレコンバーター等の光学オプションＯＰをレンズ鏡胴５０に装着するためのものであり、主として、レンズ鏡胴５０が挿入されるリング本体２０、及び、リング本体２０の外周面に回転可能に装着される締付リング３０を備えている。
【００２１】
図３に示すように、リング本体２０と締付リング３０との間には板バネ４０が配置されている（図２中三つの板バネ４０を例示）。板バネ４０は、その一端４１がリング本体２０にネジ止めにより固定されており、その他端４２が自由端（径方向に移動可能）とされている。板バネ４０は、その一端４１と他端４２との間に山折り、谷折り、山折りの順に折り返された湾曲部４３を備えており、その湾曲部４３がリング本体２０の外周面２１と内周面２２とを連通する開口２３内に位置している。なお、板バネ４０は、金属プレートや合成樹脂により形成することが考えられる。
【００２２】
締付リング３０はその内周面に相対的に厚みが薄い部分３１と厚い部分３２とを備えており、この厚みが薄い部分３１とリング本体２０の外周面２１とにより規定される空間Ｋには板バネ４０の他端４２が位置している。なお、厚みが薄い部分３１と厚い部分３２とは斜面３３を介して連続している。
【００２３】
締付リング３０が図３中反時計回りに回転させられると、板バネ４０の他端４２は、厚みが薄い部分３１、斜面３３に沿って相対的に移動し、図４に示すように、やがて厚みが厚い部分３２に達する。このとき、締付リング３０内周面（厚みが厚い部分３２）に設けられ開口２３内に突出している回転規制凸部３４が、板バネ４０の他端４２側に当接し、締付リング３０はそれ以上回転しない。
【００２４】
図４に示すように、板バネ４０の他端４２が厚みが厚い部分３２に達すると（すなわち締付リング３０がそれ以上回転しなくなると）、その厚みが厚い部分３２は板バネ４０の他端４２に当接し板バネ４０を弾性変形させる（すなわち、板バネ４０の他端４２を下方に変位させる）。これに伴い、湾曲部４３は、リング本体２０内周面２２よりも内側に突出する。すなわち、湾曲部４３がレンズ鏡胴５０に形成された溝５１内に位置し（あるいは、突出量によっては湾曲部４３がレンズ鏡胴５０に形成された溝５１底面に圧接し）、湾曲部４３が溝５１に係合した状態となる。これにより、光学オプション取付リング１０がレンズ鏡胴５０にしっかりと装着されることになる。
【００２５】
なお、図５に示すように、リング本体２０に厚みが薄い部分を設け、締付リング３０の厚みが厚い部分３２の厚みをより厚くすることで、湾曲部４３をリング本体２０内周面２２よりもさらに内側に突出させることが可能である。これにより、光学オプション取付リング１０がレンズ鏡胴５０にさらにしっかりと装着されることになる。
【００２６】
一方、締付リング３０が図４中時計回りに回転させられると、板バネ４０の他端４２は、厚みが厚い部分３２、斜面３３に沿って相対的に移動し、図３に示すように、やがて厚みが薄い部分３１に達する。このとき、締付リング３０内周面（厚みが厚い部分３２）に設けられ開口２３内に突出している回転規制凸部３４が、板バネ４０の一端４１側に当接し、締付リング３０はそれ以上回転しない。
【００２７】
図３に示すように、板バネ４０の他端４２が厚みが薄い部分３１に達すると（すなわち締付リング３０がそれ以上回転しなくなると）、板バネ４０は、弾性変形前のもとの形状に復帰しようとする力により、その他端４２が上方に変位する。これに伴い、湾曲部４３は、リング本体２０内周面２２よりも外側に位置する。すなわち、湾曲部４３は、再び開口２３内に位置する。
【００２８】
次に、上記のように構成された光学オプション取付リング１０の使用例について簡単に説明する。
【００２９】
まず、光学オプション取付リング１０装着時の動作について説明する。
【００３０】
図３に示すように、湾曲部４３をリング本体２０内周面２２よりも外側に位置させる（すなわち湾曲部４３を開口２３内に位置させる）。そのために、回転規制凸部３４が板バネ４０の一端４１側に当接してそれ以上回転しなくなるまで、締付リング３０を図４中時計回りに回転させる。
【００３１】
次に、図１に示すように、リング本体２０にレンズ鏡胴５０（の先端部）を挿入する。この挿入に際しては、リング本体２０の端面２４がレンズ鏡胴５０の凸部５２（周方向に延びている）に当接するので、装着位置の位置決めを容易に行うことが可能となっている。
【００３２】
次に、図４に示すように、湾曲部４３をリング本体２０内周面２２よりも内側に突出させる。そのために、回転規制凸部３４が板バネ４０の他端４２側に当接してそれ以上回転しなくなるまで、締付リング３０を図３中反時計回りに回転させる。この回転により、板バネ４０の他端４２は、厚みが薄い部分３１、斜面３３に沿って相対的に移動し、図４に示すように、やがて厚みが厚い部分３２に達する。その厚みが厚い部分３２は板バネ４０の他端４２に当接し板バネ４０を弾性変形させる（すなわち、板バネ４０の他端４２を下方に変位させる）。これに伴い、湾曲部４３は、リング本体２０内周面２２よりも内側に突出する。すなわち、図４に示すように、湾曲部４３がレンズ鏡胴５０に形成された溝５１内に位置し（あるいは、突出量によっては湾曲部４３がレンズ鏡胴５０に形成された溝５１底面に圧接し）、湾曲部４３が溝５１に係合した状態となる。これにより、光学オプション取付リング１０がレンズ鏡胴５０にしっかりと装着されることになる。すなわち、締付リング３０をわずかに回転させるだけで光学オプション取付リング１０をレンズ鏡胴５０に固定することが可能となる（従来は、固定用ネジを何回転も回さなければしっかりと固定できなかった）。
【００３３】
なお、締付リング３０の内周面とリング本体２０外周面との間に生ずる摩擦力により、図３に示した位置関係が保たれる。
【００３４】
また、回転規制凸部３４が板バネ４０の他端４２側に当接して締付リング３０がそれ以上回転しなくなることで、利用者は光学オプション取付リング１０がレンズ鏡胴５０にしっかりと装着されたことを把握可能となる。
【００３５】
次に、光学オプション取付リング１０取り外し時の動作について説明する。
【００３６】
図３に示すように、湾曲部４３をリング本体２０内周面２２よりも外側に位置させる（すなわち湾曲部４３を開口２３内に位置させる）。そのために、回転規制凸部３４が板バネ４０の一端４１側に当接してそれ以上回転しなくなるまで、締付リング３０を図４中時計回りに回転させる。この回転により、板バネ４０の他端４２は、厚みが厚い部分３２、斜面３３に沿って相対的に移動し、図３に示すように、やがて厚みが薄い部分３１に達する。板バネ４０はこの厚みが薄い部分３１において、弾性変形前のもとの形状に復帰しようとする力により、その他端４２が上方に変位する。これに伴い、湾曲部４３は、リング本体２０内周面２２よりも外側に位置する。すなわち、湾曲部４３は、再び開口２３内に位置する。これにより、光学オプション取付リング１０をレンズ鏡胴５０から取り外すことが可能となる。
【００３７】
なお、締付リング３０は、その内周面とリング本体２０外周面との間に生ずる摩擦力により、図４に示した位置関係が保たれる。
【００３８】
また、回転規制凸部３４が板バネ４０の一端４１側に当接して締付リング３０がそれ以上回転しなくなることで、利用者は光学オプション取付リング１０をレンズ鏡胴５０から取り外すことが可能となったことを把握可能となる。
【００３９】
以上説明したように、本実施形態の光学オプション取付リング１０によれば、締付リング３０を回転させるとその締付リング３０の回転位置に応じて板バネ４０の湾曲部４３がリング本体２０内周面２２よりも内側に突出し、レンズ鏡胴５０に形成された溝５１内に位置する（あるいは、突出量によっては湾曲部４３がレンズ鏡胴５０に形成された溝５１底面に圧接する）。すなわち、板バネ４０の湾曲部４３が溝５１に係合した状態となる。従来のように、レンズ鏡胴に形成された溝に係合させるために円筒形状の輪郭からはみ出す部分（一端部や他端部等）は不要である。したがって、レンズ鏡胴５０と同様の略円筒形状の輪郭を持ち凸部が存在しない光学オプション取付リング１０を提供することが可能となる。
【００４０】
しかも、従来は、固定用ネジが小径であり締め付けにくかったが、本実施形態の光学オプション取付リング１０によれば、締付リング３０が比較的大径であるから比較的容易に締めつけることが可能である。
【００４１】
次に、変形例について説明する。
【００４２】
上記実施形態では、締付リング３０の内周面とリング本体２０外周面との間に生ずる摩擦力により、図３（又は図４）に示した位置関係が保たれるように説明したが、本発明はこれに限定されない。
【００４３】
例えば、図６（ａ）に示すように、リング本体２０に凹部２５を設け、締付リング３０に、凹部２５に侵入し得る係合部３５、及びこの係合部３５を付勢するバネＢを設ける。そして、回転規制凸部３４が板バネ４０の他端４２（又は一端４１）側に当接してそれ以上回転しなくなるまで、締付リング３０を図３中反時計回り（又は図４中反時計回り）に回転させたときに、図６（ｂ）に示すように、バネＢの付勢力により係合部３５を凹部２５に侵入させる。これにより、図３（又は図４）に示す位置関係を保つようにしてもよい。
【００４４】
なお、締付リング３０に凹部２５を設け、リング本体２０に凹部２５に侵入し得る係合部３５、及びこの係合部３５を付勢するバネＢを設けるようにしてもよい。
【００４５】
また、上記実施形態では、三つの板バネ４０を例示したが、本発明はこれに限定されない。例えば、一つの板バネ４０を設けてもよいし、二つ、あるいは四つ以上の板バネ４０を設けるようにしてもよい。
【００４６】
また、上記実施形態では、締付リング３０内周面に設けられ開口２３内に突出している回転規制凸部３４が、板バネ４０の他端４２側（又は一端４１側）に当接することで、締付リング３０の回転を規制するように説明したが、本発明はこれに限定されない。例えば、図８に示すように、回転規制凸部３４を締付リング３０内周面に設けるとともに、この凸部３４が位置する凹部２６（例えば溝）をリング本体２０に設け、この凸部３４と凹部２６との関係により、締付リング３０の回転を規制するようにしてもよい。あるいは、逆に、凸部（回転規制凸部３４に相当）をリング本体２０外周面に設けるとともに、この凸部が位置する凹部（凹部２６に相当）を締付リング３０に設け、この凸部と凹部との関係により、締付リング３０の回転を規制するようにしてもよい。
【００４７】
あるいは、図９に示すように、リング本体２０に所定間隔をおいて凹部２７、２８を設け、締付リング３０に、凹部２７、２８に侵入し得るボールＢＯ、及びこのボールＢＯを付勢するバネＢを設けることにより、締付リング３０の回転を規制するようにしてもよい。このようにすれば、締付リング３０を反時計回りに回転させたときには、ボールＢＯが凹部２７に侵入してその方向の回転を規制し、締付リング３０を時計回りに回転させたときには、ボールＢＯが凹部２８に侵入してその方向の回転を規制することが可能となる。なお、各凹部２７、２８の内壁には斜面２７ａ、２８ａが設けられているので、ボールＢＯが各凹部２７、２８から脱出しやすくなっている。すなわち、より少ない力で締付リング３０を凹部２７と凹部２８との間で回転させることが可能となっている。
【００４８】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４９】
【図１】本発明に係る光学オプション取付リングの構成を説明するための図である。
【図２】本発明に係る光学オプション取付リングの構成を説明するための図である。
【図３】板バネを弾性変形させるための構成等を説明するための図である。
【図４】板バネを弾性変形させるための構成等を説明するための図である。
【図５】板バネを弾性変形させるための構成の変形例を説明するための図である。
【図６】リング本体２０と締付リング３０との位置関係を保つための構成例である。
【図７】従来の光学オプション取付リングの構成を説明するための図である。
【図８】回転規制凸部３４の変形例を説明するための図である。
【図９】回転規制凸部３４の変形例を説明するための図である。
【符号の説明】
【００５０】
１０…光学オプション取付リング、２０…リング本体、２１…外周面、２２…内周面、２３…開口、２４…端面、２５…凹部、２６…凹部、２７…凹部、２８…凹部、３０…締付リング、３１…厚みが薄い部分、３２…厚みが厚い部分、３３…斜面、３４…回転規制凸部、３５…係合部、４０…板バネ、４１…一端、４２…他端、４３…湾曲部、５０…レンズ鏡胴、５１…溝、５２…凸部、Ｂ…バネ、Ｋ…空間、ＯＰ…光学オプション、ＢＯ…ボール
【図１】
2007298671.tif 000003
【図２】
2007298671.tif 000004
【図３】
2007298671.tif 000005
【図４】
2007298671.tif 000006
【図５】
2007298671.tif 000007
【図６】
2007298671.tif 000008
【図７】
2007298671.tif 000009
【図８】
2007298671.tif 000010
【図９】
2007298671.tif 000011